(57)【要約】【課題】  水道の蛇口に近接したパイプ若しくは蛇口の胴径部に装着して、泥塗れになった幼児や児童の手洗いに供する。【解決手段】  底部に石鹸水の流下穴３を設け、該流下穴３をバネ４で押された押棒５で中から閉塞するようにすると共に、押棒５の下端を下方へ突き出して押し上げることにより前記流下穴３を開けるようにした容器１の上端部に、水道の蛇口に近接したパイプの外径若しくは蛇口の胴径より小径にした円弧内径を有する二つのア−ムの弾力性復元力で把持するように形成された把持部材２を設けたことを特徴とする手洗い用石鹸水供給器。【選択図】  図１
0003113005.tif 000002
【実用新案登録請求の範囲】
【請求項１】
底部に石鹸水の流下穴を設け、該流下穴をバネで押された押棒で中から閉塞するようにすると共に、押棒の下端を下方へ突き出して押し上げることにより前記流下穴を開けるようにした容器の上端部に、水道の蛇口に近接したパイプ若しくは蛇口の胴径部を把持するようにした把持部材が設けられていることを特徴とする手洗い用石鹸水供給器。
【請求項２】
把持部材と容器が着脱可能にして組み合わされていることを特徴とする請求項１記載の手洗い用石鹸水供給器。
【請求項３】
把持部材が、水道の蛇口に近接したパイプ若しくは蛇口の胴径より小径にした円弧内径を有する二つのア−ムの弾力性復元力で把持するように形成されていることを特徴とする請求項１又は２記載の手洗い用石鹸水供給器。
【考案の詳細な説明】
【技術分野】
【０００１】  本考案は、水道の蛇口に近接したパイプ若しくは蛇口の胴径部に着脱容易にして装着し、手洗いに供することのできる手洗い用石鹸水供給器に関するものである。
【背景技術】
【０００２】  多数の幼児や児童の集まる幼稚園や小学校等においては、手洗い場の水道の蛇口付近に手洗い用の固形の石鹸を網袋に入れて吊るし、手洗いに供されているのが多く見受けられるが、幼児や児童が泥塗れになった手で石鹸を握って手洗いをするために、網袋や石鹸が汚れたままで吊るされており、見た目も悪く非衛生的である。【０００３】  水道の蛇口に取付けて手洗いに供するものとして、例えば蛇口の上に取付けて余分な石鹸水が石鹸ケ−ス内から排出できるようにした蛇口取付用のキャップ付き石鹸ケ−スが開示されている。（特許文献１参照）
又、水道における水圧を利用し、石鹸水容器内を加圧して石鹸水の圧送を可能ならしめ、コンプレッサ−及び電源を使用しないで石鹸水を吐出させて得るようにした液体供給装置が開示されている。（特許文献２参照）
【特許文献１】  実用新案登録第３１０５７２６号公報
【特許文献２】  特開平５−１９２２６４号公報
【考案の開示】
【考案が解決しようとする課題】
【０００４】  上記特許文献１に記載される技術は、石鹸ケ−ス内に固形の石鹸を入れて使用時に付着した石鹸水が石鹸ケ−ス内から完全に排出されるようにしたものであり、石鹸ケ−スの蓋を開けて石鹸を握ることから、泥塗れになった手を手洗いする場合石鹸や石鹸ケ−スが汚れる問題点があり、特許文献２に記載される技術は、蛇口を閉じることにより水道管の水圧をケ−シング内のピストンに作用させ、ピストンが押し下げられて石鹸水の入ったタンク内を加圧せしめ、操作ノブを押動することによりノズルから石鹸水を吐出させるようにしたもので、容易に水道の蛇口に近接するパイプや蛇口に取付けられない問題点があるほか、構造が複雑で安価にできない問題点がある。
【課題を解決するための手段】
【０００５】  本考案は、上記背景技術における問題点に鑑みてなされた新規な手洗い用石鹸水供給器を提供しょうとするものであり、その解決するための手段は、底部に石鹸水の流下穴を設け、該流下穴をバネで押された押棒で閉塞するようにすると共に、押棒の下端を下方へ突き出して押し上げることにより前記流下穴を開けるようにした容器の上端部に、水道の蛇口に近接したパイプ若しくは蛇口の胴径部を把持するようにした把持部材が設けられていることを特徴とする手段を講じたものである。【０００６】  又、前記把持部材と容器は、着脱可能にして組み合わされていることを特徴とし、把持部材は、水道の蛇口に近接したパイプの外径若しくは蛇口の胴径より小径にした円弧内径を有する二つのア−ムの弾力性復元力で把持するように形成されていることを特徴とする手段を講じたものである。
【考案の効果】
【０００７】  本考案は、上記手段に記載するように、底部に石鹸水の流下穴を設け、該流下穴をバネで押された押棒で中から閉塞するようにすると共に、押棒の下端を下方へ突き出して押し上げることにより流下穴を開けるようにした容器の上端部に、水道の蛇口に近接したパイプ若しくは蛇口の胴径部を把持するようにした把持部材を設けたものであり、容器の下方へ突き出した押棒の下端を指先で押し上げて自然流下する石鹸水を掌で受けて手洗いすることにより、手が泥塗れになっていても石鹸や容器を汚すことなく洗えると共に、スマ−トに取付けられて見た目も良く、衛生的であり、シンプルで安価に提供できる利点がある。【０００８】  又、把持部材が、水道の蛇口に近接したパイプの外径若しくは蛇口の胴径より小径にした円弧内径を有する二つの弾力性復元力により把持するように形成されることにより、蛇口に近接したパイプや蛇口の胴径部への着脱が容易且つ迅速に行うことができたり、把持部材と容器が着脱可能にして組み合わされることにより、容器内の清掃や容器内の部品の着脱がやり易くなる利点がある。
【考案を実施するための最良の形態】
【０００９】  本考案を実施するための最良の形態は、底部に石鹸水の流下穴を設け、該流下穴をバネで押された押棒で中から閉塞するようにすると共に、押棒の下端を下方へ突き出して押し上げることにより前記流下穴を開けるようにした円筒状の容器の上端部に、水道の蛇口に近接したパイプ若しくは蛇口の胴径より小径にした円弧内径を有する二つのア−ムの弾力性復元力で把持するように形成された把持部材を設けたことを特徴とする形態である。以下実施例にて実施例を示す図面を参照して説明する。
【実施例】
【００１０】  図１は、本考案の実施例を示す縦断面図であり、図示するように容器１の上端部には、把持部材２が設けられ、容器１の底部には、石鹸水の流下穴３が設けられて該流下穴３をバネ４で押された押棒５で中から閉塞するようにすると共に、押棒５の下端５ａを下方へ突き出して押し上げることにより前記流下穴３が開くようにしてあり、把持部材２は、上方に円弧内径Ｄを有する二つのア−ム２ａ，２ａが設けられている。【００１１】  容器１の底部に設けられた流下穴３を閉塞する押棒５は、コイル状のバネ４を、容器１内に取付けられた支持板６との間に介在させ、下方へ押されて流下穴３のテ−パ−部３ａと押棒５のテ−パ−部５ｂが嵌合するようにして流下穴３が閉塞するようにしてある。
なお、前記コイル状のバネ４のほかに図２に示すように弾力性のあるゴムや金属製のプレ−トで成形したバネ４ａを使用することも可能である。【００１２】  そして、図３に示すように押棒５の下端５ａを矢印方向へ押し上げることにより、流下穴３のテ−パ−部３ａと押棒５のテ−パ−部５ｂとが離間し、流下穴３と押棒５の下端部５ｃとの隙間Ｓから容器１内に入った石鹸水は流下する。【００１３】  流下穴３と押棒５の先端部５ｃとの隙間Ｓは、図４に示すように流下穴３の内径部３ｂと押棒５の先端部５ｃが、がたつくことなく嵌合されるようにすると共に、流下穴３の内径部３ｂより外側へ複数箇所（本実施例では４箇所）切り抜かれて隙間Ｓが形成されるようにしてあり、粘性のある石鹸水が適量に流下するように隙間Ｓの数や大きさが決められている。【００１４】  容器１の上端部に設けられた把持部材２は、図１に示す如く容器１の上端部に設けられた雄螺子と把持部材２の下端部に設けられた雌螺子をねじ合わせすることにより着脱可能に組み合わされており、把持部材２の上端部は円弧内径Ｄが、装着しようとする蛇口に近接したパイプの外径や蛇口の胴径より小径になるようにしてア−ム２ａ，２ａが形成され、ア−ムの開先部２ｂを広げるようにして蛇口に近接したパイプや蛇口の胴径部に挿入し、ア−ム２ａ，２ａの弾力性復元力でしっかりと把持されて装着されるようにしてある。【００１５】  従って、前記把持部材２は、弾力性のある合成樹脂等で成形するのが望ましく、容器１は必ずしも弾力性を有せず、例えば透明なアクリル樹脂や塩化ビニ−ル樹脂、ポリカ−ボネ−ト樹脂等で成形すれば容器に入っている石鹸水の量が監視できる。【００１６】  図５、図６は、以上のようにしてなる手洗い用石鹸水供給器の装着例を示したもので、図５は、蛇口７に近接したパイプ８に装着した例を示す一部断面の側面図であり、図６は、ア−ムを二股にして蛇口７の胴径部７ａに装着した例を示す側面図であり、建物等の壁面９から配管パイプを介さず蛇口７が直接突き出てスペ−ス的に余裕がない場合に適用される例である。いずれも押棒の下端５ａを指で押し上げることにより、石鹸水を流下させて掌に受け、蛇口７より水を出して手洗いする。
【産業上の利用可能性】
【００１７】  本考案の容器と把持部材の形状を色々と変えたり、模様を付けたりたりして装飾性をもたせることによりアクセサリ−としても幼児や児童に愛用される可能性がある。
【図面の簡単な説明】
【００１８】
【図１】  本考案の実施例を示す縦断面図である。
【図２】  流下穴の閉塞状態を示す他の実施態様の要部縦断面図である。
【図３】  押棒を押し上げて流下穴が開いた状態を示す要部断面図である。
【図４】  図３のＡ−Ａ断面図である。
【図５】  蛇口に近接したパイプへの装着例を示す一部断面の側面図である。
【図６】  蛇口の胴径部への装着例を示す側面図である。
【符号の説明】
【００１９】  １  容器
２  把持部材
２ａ  ア−ム
２ｂ  開先部
３  流下穴
３ａ，５ｂ  テ−パ−部
３ｂ  内径部
４，４ａ  バネ
５  押棒
５ａ  下端
５ｃ  下端部
６  支持板
７  蛇口
７ａ  胴径部
８  パイプ
９  壁面
Ｓ  隙間
【図１】
0003113005.tif 000003
【図２】
0003113005.tif 000004
【図３】
0003113005.tif 000005
【図４】
0003113005.tif 000006
【図５】
0003113005.tif 000007
【図６】
0003113005.tif 000008